(57)【特許請求の範囲】
【請求項１】
スケジュール情報を予め登録し、該スケジュール情報中の予定時刻に達した時、該予定時刻に対応する前記スケジュール情報の表示及び音声鳴動によりアラーム動作を行ってユーザに登録スケジュールを報知する機能を有する移動無線機において、
前記アラーム動作と他の動作が重複した場合、前記アラーム動作に優先して前記他の動作を実行し、前記他の動作の終了後、前記アラーム動作を実行するアラーム動作制御手段を具備し、
前記アラーム動作制御手段は、
アラーム動作中、通信が発生した場合、該アラーム動作を停止し、該通信動作の終了後、該アラーム動作を再実行する
ことを特徴とする移動無線機。
【請求項２】
スケジュールを報知する予定時刻および該スケジュールに対応するスケジュール情報を登録するスケジュール情報登録手段と、
前記スケジュール登録手段に登録された前記予定時刻に達したとき、アラーム音を鳴動し、前記アラーム音鳴動中に通信が発生した場合、該アラーム音を停止するアラーム音鳴動制御手段と、
前記スケジュール登録手段に登録された前記予定時刻に達したとき、該予定時刻に対応する前記スケジュール情報を表示し、前記スケジュール情報の表示中に通信が発生した場合、該スケジュール情報の表示を停止し、該通信動作の終了後、該スケジュール情報を再表示するスケジュール情報表示制御手段と
を有することを特徴とする移動無線機。
【請求項３】
前記アラーム音鳴動制御手段は、
前記予定時刻に他の動作が実行されている場合、前記アラーム音鳴動に優先して前記他の動作を実行し、前記他の動作の終了後、前記アラーム音を鳴動し、
前記スケジュール情報表示制御手段は、
前記予定時刻に他の動作が実行されている場合、前記スケジュール情報の表示に優先して前記他の動作を実行し、前記他の動作の終了後、前記スケジュール情報を表示する
ことを特徴とする請求項２記載の移動無線機。
【請求項４】
前記スケジュール登録手段に登録される予定時刻は、
該スケジュールの開始時刻又は開始時刻以前の時刻を設定可能である
ことを特徴とする請求項２又は３記載の移動無線機。
【請求項５】
前記スケジュール情報は、
スケジュールの内容を示すメッセージ情報を含む
ことを特徴とする請求項２乃至請求項４のいずれかに記載の移動無線機。
【請求項６】
スケジュール情報を予め登録し、該スケジュール情報中の予定時刻に達した時、該予定時刻に対応する前記スケジュール情報の少なくとも一部の表示及び音声鳴動によりアラーム動作を行ってユーザに登録スケジュールを報知する機能を有する移動無線機のアラーム動作制御方法において、
前記アラーム動作と他の動作が重複した場合、前記アラーム動作に優先して前記他の動作を実行し、前記他の動作の終了後、前記アラーム動作を実行し、
前記アラーム動作中、通信が発生した場合、該アラーム動作を停止し、該通信動作の終了後、該アラーム動作を再実行する
ことを特徴とする移動無線機のアラーム動作制御方法。
【請求項７】
スケジュールを報知する予定時刻および該スケジュールに対応するスケジュール情報をスケジュール登録手段により登録し、
前記スケジュール登録手段に登録された前記予定時刻に達したとき、アラーム音鳴動制御手段により、アラーム音を鳴動し、前記アラーム音鳴動中に通信が発生した場合、該アラーム音を停止し、
前記スケジュール登録手段に登録された前記予定時刻に達したとき、スケジュール情報表示制御手段により、該予定時刻に対応する前記スケジュール情報を表示し、前記スケジュール情報の表示中に通信が発生した場合、該スケジュール情報の表示を停止し、該通信動作の終了後、該スケジュール情報を再表示する
ことを特徴とする移動無線機のアラーム動作制御方法。
【請求項８】
前記予定時刻に他の動作が実行されている場合、前記アラーム音鳴動制御手段により、前記アラーム音鳴動に優先して前記他の動作を実行し、前記他の動作の終了後、前記アラーム音鳴動し、
前記予定時刻に他の動作が実行されている場合、前記スケジュール情報表示制御手段により、前記スケジュール情報の表示に優先して前記他の動作を実行し、前記他の動作の終了後、前記スケジュール情報を表示する
ことを特徴とする請求項７記載の移動無線機のアラーム動作制御方法。
【請求項９】
前記スケジュール登録手段に登録される予定時刻は、
該スケジュールの開始時刻又は開始時刻以前の時刻を設定可能である
ことを特徴とする請求項７又は８記載の移動無線機のアラーム動作制御方法。
【請求項１０】
前記スケジュール情報は、
少なくともスケジュールの内容を示すメッセージ情報を含む
ことを特徴とする請求項７乃至請求項９のいずれかに記載の移動無線機のアラーム動作制御方法。
【発明の詳細な説明】
【０００１】
【発明の属する技術分野】
本発明は、予め所望のスケジュール（日付、時刻、メッセージ、イラスト等）を登録することにより、その登録日時になった場合に、アラーム動作を行う簡易スケジューラ機能を有する移動無線機に係わり、詳しくは、アラーム動作と他の動作とが重複した場合でも、確実に、アラーム動作することができるアラーム動作制御方法に関する。
【０００２】
【従来の技術】
通常、この種の簡易スケジューラ機能を有する移動無線機では、予めユーザが所望のスケジュール（日付、時刻、メッセージ、イラスト等）を登録することにより、その登録日時になった場合に、アラーム動作でユーザに対し報知を行っている。尚、スケジュールロックされていなければ、アラーム鳴動時に、スケジュール設定情報（日付、時刻、メッセージ、イラスト等）の表示も行う。
【０００３】
ところで、この種の簡易スケジューラ機能を有する移動無線機においては、アラーム鳴動時に着信が発生したり、或は通話中にアラーム鳴動時刻に達する場合が考えられる。
【０００４】
しかし、従来の簡易スケジューラ機能を有する移動無線機では、上述のように、アラーム鳴動時刻が着信時と重複した場合、着信を優先するためアラーム鳴動をキャンセルし、その後、キャンセルされたアラーム鳴動は二度と実行されない。また、アラーム鳴動時刻が通話時刻と重複した場合、ユーザに対し報知することなくアラーム鳴動をキャンセルしている。
【０００５】
【発明が解決するための課題】
上述の如く、従来の簡易スケジューラ機能を有する移動無線機にあっては、
アラーム鳴動時刻が着信時或は通話時刻と重複した場合、ユーザに対しアラーム鳴動する構成が整っていないため、必要（重要）な設定スケジュールを報知することができず、本来の簡易スケジューラ機能の役割を十分に果たしきれていないという問題点があった。
【０００６】
そこで、本発明では、上記問題を解決し、アラーム鳴動時刻が着信時刻或は通話時刻と重複した場合でも、確実に、登録したスケジュール内容をユーザに確実に知らせることができる移動無線機及びそのアラーム動作制御方法を提供することを目的とする。
【０００７】
【課題を解決するための手段】
上記目的を達成するために、請求項１の発明は、スケジュール情報を予め登録し、該スケジュール情報中の予定時刻に達した時、該予定時刻に対応する前記スケジュール情報の表示及び音声鳴動によりアラーム動作を行ってユーザに登録スケジュールを報知する機能を有する移動無線機において、前記アラーム動作と他の動作が重複した場合、前記アラーム動作に優先して前記他の動作を実行し、前記他の動作の終了後、前記アラーム動作を実行するアラーム動作制御手段を具備し、前記アラーム動作制御手段は、アラーム動作中、通信が発生した場合、該アラーム動作を停止し、該通信動作の終了後、該アラーム動作を再実行することを特徴とする。
【０００８】
また、請求項２の発明の移動無線機は、スケジュールを報知する予定時刻および該スケジュールに対応するスケジュール情報を登録するスケジュール情報登録手段と、前記スケジュール登録手段に登録された前記予定時刻に達したとき、アラーム音を鳴動し、前記アラーム音鳴動中に通信が発生した場合、該アラーム音を停止するアラーム音鳴動制御手段と、前記スケジュール登録手段に登録された前記予定時刻に達したとき、該予定時刻に対応する前記スケジュール情報を表示し、前記スケジュール情報の表示中に通信が発生した場合、該スケジュール情報の表示を停止し、該通信動作の終了後、該スケジュール情報を再表示するスケジュール情報表示制御手段とを有することを特徴とする。
【０００９】
また、請求項３の発明は、請求項２の発明において、前記アラーム音鳴動制御手段は、前記予定時刻に他の動作が実行されている場合、前記アラーム音鳴動に優先して前記他の動作を実行し、前記他の動作の終了後、前記アラーム音を鳴動し、前記スケジュール情報表示制御手段は、前記予定時刻に他の動作が実行されている場合、前記スケジュール情報の表示に優先して前記他の動作を実行し、前記他の動作の終了後、前記スケジュール情報を表示することを特徴とする。
【００１０】
また、請求項４の発明は、請求項２又は３の発明において、前記スケジュール登録手段に登録される予定時刻は、該スケジュールの開始時刻又は開始時刻以前の時刻を設定可能であることを特徴とする。
【００１１】
また、請求項５の発明は、請求項２乃至４のいずれかの発明において、前記スケジュール情報は、スケジュールの内容を示すメッセージ情報を含むことを特徴とする。
【００１２】
また、請求項６の発明は、スケジュール情報を予め登録し、該スケジュール情報中の予定時刻に達した時、該予定時刻に対応する前記スケジュール情報の少なくとも一部の表示及び音声鳴動によりアラーム動作を行ってユーザに登録スケジュールを報知する機能を有する移動無線機のアラーム動作制御方法において、前記アラーム動作と他の動作が重複した場合、前記アラーム動作に優先して前記他の動作を実行し、前記他の動作の終了後、前記アラーム動作を実行し、前記アラーム動作中、通信が発生した場合、該アラーム動作を停止し、該通信動作の終了後、該通信動作の終了後、該アラーム動作を再実行することを特徴とする。
【００１３】
また、請求項７の発明の移動無線機のアラーム動作制御方法は、スケジュールを報知する予定時刻および該スケジュールに対応するスケジュール情報をスケジュール登録手段により登録し、前記スケジュール登録手段に登録された前記予定時刻に達したとき、アラーム音鳴動制御手段により、アラーム音を鳴動し、前記アラーム音鳴動中に通信が発生した場合、該アラーム音を停止し、前記スケジュール登録手段に登録された前記予定時刻に達したとき、スケジュール情報表示制御手段により、該予定時刻に対応する前記スケジュール情報を表示し、前記スケジュール情報の表示中に通信が発生した場合、該スケジュール情報の表示を停止し、該通信動作の終了後、該スケジュール情報を再表示することを特徴とする。
【００１４】
また、請求項８の発明は、請求項７の発明において、前記予定時刻に他の動作が実行されている場合、前記アラーム音鳴動制御手段により、前記アラーム音鳴動に優先して前記他の動作を実行し、前記他の動作の終了後、前記アラーム音鳴動し、前記予定時刻に他の動作が実行されている場合、前記スケジュール情報表示制御手段により、前記スケジュール情報の表示に優先して前記他の動作を実行し、前記他の動作の終了後、前記スケジュール情報を表示することを特徴とする。
【００１５】
また、請求項９の発明は、請求項７又は８の発明において、前記スケジュール登録手段に登録される予定時刻は、該スケジュールの開始時刻又は開始時刻以前の時刻を設定可能であることを特徴とする。
【００１６】
また、請求項１０の発明は、請求項７乃至９のいずれかの発明において、前記スケジュール情報は、少なくともスケジュールの内容を示すメッセージ情報を含むことを特徴とする。
【００１７】
【発明の実施の形態】
以下、本発明の一実施の形態について添付図面を参照して詳細に説明する。
【００１８】
図１は、本発明に係わるＰＨＳ（Ｐｅｒｓｏｎａｌ  Ｈａｎｄｙ−ｐｈｏｎｅＳｙｓｔｅｍ）移動端末１００の全体構成を示すブロック図である。
【００１９】
図１に示すように、このＰＨＳ移動端末１００は、アンテナ１１、送受信切換スイッチ１２、送信部１３、受信部１４、音声コーデック１５、マイクロフォン１６、スピーカ１７、制御部１８、操作部１９、サウンダ２０、表示部２１、メモリ２２、振動部２３から構成される。
【００２０】
ここで、音声コーデック１５は、後述するマイクロフォン１６から入力された音声信号（アナログ信号）をディジタル信号に変換して送信部１３に出力すると共に、受信部１４で受信したディジタル信号を音声信号（アナログ信号）に変換して後述するスピーカ１７に出力するものである。
【００２１】
また、送信部１３は、後述する音声コーデック１５から出力されたディジタル信号の送信処理を行い、受信部１４は、アンテナ１１で受信された無線信号の受信処理を行うものである。
【００２２】
また、マイクロフォン１６は、送話音声信号を入力する送話器として機能するもの、スピーカ１７は入力した受話音声信号を音声として発音する受話器として機能するもの、サウンダ２０は、着信等を報知するものである。
【００２３】
尚、このサウンダ２０は、本実施例でのスケジュールを報知に係わるアラーム鳴動にも専用される。
【００２４】
また、制御部１８は、このＰＨＳ移動端末１００の全体動作を統括制御するもので、受信制御信号を受信部１４から入力し、送信制御信号を送信部１３に出力するように構成される。また、本実施例では、制御部１８は、アラーム鳴動制御を行うためのアラーム鳴動中着信制御部１８ａ及び通話中アラーム鳴動制御部１８ｂを具備して構成されている。
【００２５】
尚、アラーム鳴動中着信制御部１８ａは、アラーム鳴動中に着信が発生した場合、そのアラーム鳴動を一旦停止し、着信を優先するように制御すると共に、通話が終了した後、再度、アラーム鳴動を実行するように制御するものである。また、通話中アラーム鳴動制御部１８ｂは、通話中に、アラーム鳴動する予定のスケジュールが発生した場合、そのスケジュールのアラーム鳴動を保持するように制御して、通話終了後に、該保持したアラーム鳴動を実行するように制御するものである。
【００２６】
また、操作部１９は、複数のキーを有し各種情報を入力するものであり、例えば、本実施例でのスケジュール等を登録するためのキーなどを具備して構成されている。
【００２７】
また、表示部２１は、各種情報を表示する液晶ディスプレイ等（ＬＣＤ）から構成され、例えば、本実施例でのスケジュール設定情報（日付、時刻、メッセージ、イラスト）を表示するものである。尚、スケジュール設定情報の表示は、ユーザが操作部１９の所定の操作を行うことにより、表示の有無（スケジュールロックする／しない）を設定することができるものとする。
【００２８】
また、メモリ２２は、各種情報を記憶するものであり、例えば、本実施例でのスケジュール設定情報（日付、時刻、メッセージ、イラスト）を記憶しておくものである。
【００２９】
また、振動部２３は、着信等を振動で報知するためのバイブレータ機能を有するものである。
【００３０】
次に、図１に示すＰＨＳ移動端末１００の操作部１９を用いて各スケジュールを登録する場合の操作手順及びその時の表示部２１上での表示構成の一実施例を図２及び図３を参照にして説明する。尚、この実施例では、「１９９７年０２月０３日、ＰＭ５：００、全体会議」を登録する場合について説明するものとする。
【００３１】
図２及び図３に示すように、ユーザが待ち受け状態［表示部２１上に、現在日時「１月２７日（月）ＰＭ２：０２」が表示される。］（１）で、操作部１９上の機能キー（上下キー等）を操作すると、表示部２１上にスケジュール設定画面が表示される（２）。
【００３２】
そして、ユーザがこのスケジュール設定画面上の「スケジュールセッテイ」項目を選択すると、表示部２１上に、「トウロク」「ケンサク」「トウロクケンスウ」等の各項目が表示され（３）、このうち、「トウロク」項目を選択すると、表示部２１上に日時設定画面が表示される（４）。
【００３３】
尚、この時、スケジュールを入力できないモード（スケジュールロック）が設定されていると、画面上に「スケジュールロック」と表示され、スケジュール設定ができない。また、登録可能エリアがないときには画面にその旨が表示され、スケジュールの登録はできない。
【００３４】
そして、（４）では、表示部２１上には、最初、現在日時が表示されており、ユーザがモードキーを操作して所望のスケジュール登録日時「１９９７年０２月０３日、１７：００」を入力する（５）。
【００３５】
ここで、スケジュール登録日時が正常入力（現在の日時より後など）された場合、表示部２１上には、次に、メッセージ入力画面が表示される（６）。
【００３６】
他方、スケジュール登録日時が正常でない場合は（現在の日時より前など）、入力エラーの旨を画面に表示する。
【００３７】
そして、このメッセージ入力画面を用いて、ユーザが所望のスケジュール登録メッセージ「全体会議」を入力する（７）。尚、この時同時に、イラストを入力したい場合、機能キーを操作してイラスト画面を表示させ（８）、上下キー等を操作して各種イラストを選択指定する（９）。
【００３８】
次に、「可変設定時間」を設定するため、ユーザが機能キーを操作すると、可変設定時間の設定画面が表示部２１上に表示される（１０）。
【００３９】
尚、ここで言う、可変設定時間とは、実際の設定時刻（アラーム動作時刻）の前に、その時間が近づいていることを知らせる（アラーム動作）ための時間である。
【００４０】
そして、この可変設定時間の設定画面を用いて、ユーザが所定の操作を行うことで、所望の可変設定時間（この実施例では、１５分前を意味する「１５」）を入力する（１１）。
【００４１】
この一連の入力操作終了後、ユーザが機能キーを操作すると、これまで入力したスケジュール設定情報が表示部２１上に表示される（１２）。
【００４２】
そして、一定時間経過後（例えば、２秒後）、表示部２１上には、待ち受け画面が表示される（１３）。
【００４３】
このように、上記一連の入力操作することにより、ユーザは、簡単に所望のスケジュール（日付、時刻、メッセージ、イラスト等）を登録することができ、以後、その登録日時或は可変設定時刻になった場合に、アラーム動作で当該スケジュールを確認することができる。
【００４４】
次に、上記一連の操作により各種スケジュールを登録後、その登録日時或は可変設定時刻におけるＰＨＳ移動端末１００のアラーム鳴動制御動作について説明する。
【００４５】
最初に、アラーム鳴動及びスケジュール表示の最中（アラーム動作中）に着信（外線・内線・ドアホン）が発生した場合のアラーム鳴動制御動作について説明する。
【００４６】
図４は、図１に示したＰＨＳ移動端末１００のアラーム鳴動中着信制御部１８ａにおけるアラーム動作中に着信（外線・内線・ドアホン）が発生した場合の着信制御及びアラーム鳴動制御動作を示すフローチャートである。
【００４７】
図４に示すように、ＰＨＳ移動端末１００は、現在時刻が、設定されたアラーム設定時刻（登録日時或は可変設定時刻）と一致したと判断した場合（ステップ４０１ＹＥＳ）、サウンダ２０を用いてアラーム鳴動を行うと共に、スケジュールロックされていなければ、スケジュール設定情報を表示部２１に表示する（ステップ４０２）。
【００４８】
このアラーム動作中に、ＰＨＳ移動端末１００が、着信（外線・内線・ドアホン）信号を検出した場合（ステップ４０４ＹＥＳ）、アラーム鳴動中着信制御部１８ａが、この着信を優先処理するように制御する。つまり、サウンダ２０からのアラーム鳴動を一旦停止し、表示部２１上のスケジュール表示を一時中断する（ステップ４０５）。
【００４９】
次いで、アラーム鳴動中着信制御部１８ａは、ユーザに着信があった旨を報知するため、サウンダ２０を用いて着信音を鳴動する。これにより、ユーザが操作部１９を用いて所定の操作を実行し、着信に応答すると（ステップ４０６）、次に、アラーム鳴動中着信制御部１８ａは、着信（外線・内線・ドアホン）通話制御を実行する（ステップ４０７）。
【００５０】
通話終了後（ステップ４０８ＹＥＳ）、アラーム鳴動中着信制御部１８ａは、再度、サウンダ２０を用いてアラーム鳴動を行うと共に、スケジュールロックされていなければ、スケジュール設定情報を表示部２１に表示する（ステップ４０９）。
【００５１】
その後、一定時間経過或はユーザの所定の操作によりアラーム鳴動及びスケジュール表示が終了した場合（ステップ４１０ＹＥＳ）、この処理を終了する。
【００５２】
尚、上記ステップ４１０で、アラーム鳴動・スケジュール表示の終了前に、再度、着信が発生する場合も考えられる。このような場合、ＰＨＳ移動端末１００は、（ステップ４１０ＮＯ）の後、ステップ４０４へ戻り、以下、同様の処理を繰り返すことで対処することができる。
【００５３】
このように、本実施例では、アラーム動作中に着信が発生した場合に、着信を優先し、通話を行なった場合でも、その通話が終了した後（待ち受け時）、再度、アラーム鳴動及びスケジュール表示を行うようにしたため、確実に、ユーザに対して登録スケジュールを報知することができる。
【００５４】
次に、通話の最中にアラーム鳴動及びスケジュール表示の登録日時或は可変設定時刻となった場合のアラーム鳴動制御動作について説明する。
【００５５】
図５は、図１に示すＰＨＳ移動端末１００の通話中アラーム鳴動制御部１８ｂにおける通話の最中にアラーム鳴動及びスケジュール表示の登録日時或は可変設定時刻となった場合のアラーム鳴動制御動作を示すフローチャートである。
【００５６】
図５に示すように、ＰＨＳ移動端末１００は、通常、着信信号を検出すると（ステップ５０１ＹＥＳ）、サウンダ２０を用いて着信音を鳴動させ、ユーザに対し着信があった旨を報知する。そして、ユーザがこの報知を認識し、操作部１９を用いて所定の操作を実行して着信に応答すると（ステップ５０２）、ＰＨＳ移動端末１００では、制御部１８が着信（外線・内線・ドアホン）通話制御を実行する（ステップ５０３）。
【００５７】
次いで、通話中アラーム鳴動制御部１８ｂは、
この通話の間、現在時刻が登録されたスケジュールの登録日時或は可変設定時刻に達したと判断した場合（ステップ５０４ＹＥＳ）、当該スケジュールのアラーム鳴動及びスケジュール表示を保持するように制御する（ステップ５０５）。
【００５８】
その後、通話が終了した場合（ステップ５０６ＹＥＳ）、通話中アラーム鳴動制御部１８ｂは、先程保持したアラーム鳴動及びスケジュール表示を実行するため、まず、サウンダ２０を用いてアラーム鳴動を行うと共に、スケジュールロックされていなければ、スケジュール設定情報を表示部２１に表示する（ステップ５０８）。
【００５９】
尚、この時、複数のスケジュールを保持している場合は、古いものから順次アラーム鳴動及びスケジュール表示を行うものとする。
【００６０】
アラーム鳴動及びスケジュール表示が全部終了した場合（ステップ５０９ＹＥＳ）、一定時間経過或はユーザの所定の操作が行われると、この処理を終了する。
【００６１】
このように、本実施例では、通話中に該登録スケジュールの登録日時或は可変設定時刻になった場合に、該スケジュールのアラーム鳴動及びスケジュール表示を通話が終了（待ち受け状態）するまで保持しておき、通話終了後（待ち受け状態）に、再度、アラーム鳴動及びスケジュール表示を行ようにしたため、確実に、ユーザに対して登録スケジュールを報知することができる。
【００６２】
尚、通話中に保持したスケジュールに可変設定時刻が設定されている場合、この可変時刻にはアラーム動作を行なわず、スケジュール登録日時のみにアラーム鳴動及びスケジュール表示を行うことも可能である。特に、このような制御では、既に可変設定時刻・アラーム登録日時が共に通話中に経過している場合、余分なアラーム動作を行なわなくて済む。
【００６３】
尚、上記実施例で説明したアラーム動作は、サウンダ２０からの鳴動または振動部２３による振動のいずれか一方、或は両者の組み合わせによるものとする。
【００６４】
また、上記実施例では、通話終了後（待ち受け時）に、アラーム動作を行う構成であるが、これは、通話中に通話情報を表示しない場合や通話が長時間に及ぶような場合には、通話中であっても、サウンダ２０による音或は振動部２３による振動によってアラーム鳴動するようにしても良い。一例として、図１に示した通話中アラーム鳴動制御部１８ｂが、通話中（着信時及び発信時を含む）に、アラーム鳴動すべき旨を認知した場合、サウンダ２０或は振動部２３を用いて報知すると共に、この報知にユーザが対応した場合、表示部２１を用いてスケジュール設定を表示するように制御すれば良い。
【００６５】
【発明の効果】
以上説明したように、本発明によれば、アラーム動作と他の動作が重複した場合、上記アラーム動作に優先して上記他の動作を実行し、上記他の動作の終了後、上記アラーム動作を実行するアラーム動作制御手段を設け、アラーム動作中、通信が発生した場合、該アラーム動作を停止し、該通信動作の終了後、該アラーム動作を再実行するように構成したため、確実に、ユーザに対し登録スケジュールを報知することができる。
【図面の簡単な説明】
【図１】本発明に係わるＰＨＳ移動端末１００の全体構成を示すブロック図。
【図２】図１に示したＰＨＳ移動端末１００のスケジュール登録操作手順及び表示例を示す図。
【図３】図２に示した操作手順に続くスケジュール登録操作手順及び表示例を示す図。
【図４】図１に示したＰＨＳ移動端末１００のアラーム鳴動中着信制御部１８ａの制御動作を示すフローチャート。
【図５】図１に示したＰＨＳ移動端末１００のアラーム鳴動制御部１８ｂの制御動作を示すフローチャート。
【符号の説明】
１００  ＰＨＳ移動端末
１１  アンテナ
１２  送受信切換スイッチ
１３  送信部
１４  受信部
１５  音声コーデック
１６  マイクロフォン
１７  スピーカ
１８  制御部
１８ａ  アラーム鳴動中着信制御部
１８ｂ  通話中アラーム鳴動制御部
１９  操作部
２０  サウンダ
２１  表示部
２２  メモリ
２３  振動部（バイブレータ）
【図１】
0003657399.tif 000002
【図２】
0003657399.tif 000003
【図３】
0003657399.tif 000004
【図４】
0003657399.tif 000005
【図５】
0003657399.tif 000006